(57)【要約】外部切断部材（４）及びマッチする内部切断部材（６）を有する少なくとも１つの切断ユニット（３）と、前記皮膚接触面（９，１５，１６）にシェービングエイドを供給するためのデバイス（１８−２０）とを収容する皮膚接触面（９，１５，１６）を持つシェービング装置において、シェービングエイド保持手段（３５，４８）が前記皮膚接触面（９，１５，１６）の少なくとも一部に設けられたシェービング装置。
2006527052.tif 000002
【特許請求の範囲】
【請求項１】
外部切断部材及びマッチする内部切断部材を有する少なくとも１つの切断ユニットと、
皮膚接触面にシェービングエイドを供給するためのデバイスとを収容する当該皮膚接触面を持つシェービング装置において、前記皮膚接触面の少なくとも一部に設けられたシェービングエイド保持手段により特徴付けられるシェービング装置。
【請求項２】
請求項１に記載のシェービング装置において、前記少なくとも１つの切断ユニットは、外部環状切断部材を有する回転型であり、前記少なくとも１つの切断ユニットの前記外部切断部材によって囲まれる前記皮膚接触面に第１のシェービングエイド保持手段が設けられる、シェービング装置。
【請求項３】
請求項２に記載のシェービング装置において、前記第１のシェービングエイド保持手段は、前記少なくとも１つの切断ユニットの前記環状切断部材によって囲まれる前記皮膚接触面の中心の周りで延在する少なくとも１つの隆線を有する、シェービング装置。
【請求項４】
請求項３に記載のシェービング装置において、前記少なくとも１つの隆線は、
ａ）複数の同心の隆線、
ｂ）少なくとも１つのらせん形の隆線、
ｃ）少なくとも１つの星形の隆線、
ｄ）少なくとも１つの花形の隆線、
のうちの少なくとも１つを有する、シェービング装置。
【請求項５】
請求項２に記載のシェービング装置において、前記第１のシェービングエイド保持手段は、前記皮膚接触面の少なくとも一部にディンプルのパターンを含む、シェービング装置。
【請求項６】
請求項２乃至５の何れか１項に記載のシェービング装置において、前記第１のシェービングエイド手段を備えた前記皮膚接触面は装飾キャップの表面である、シェービング装置。
【請求項７】
請求項６に記載のシェービング装置において、前記装飾キャップはおおむね半球形の形状を持つシェービング装置。
【請求項８】
請求項６又は７に記載のシェービング装置において、前記装飾キャップは低摩擦の表面を持つ、シェービング装置。
【請求項９】
請求項２乃至８の何れか１項に記載のシェービング装置において、前記少なくとも１つの切断ユニットを囲む前記皮膚接触面に第２のシェービングエイド保持手段が設けられる、シェービング装置。
【請求項１０】
請求項９に記載のシェービング装置において、前記第２のシェービングエイド保持手段は、前記少なくとも１つの切断ユニットの前記外部固定環状切断部材を囲む少なくとも１つの溝を有する、シェービング装置。
【請求項１１】
請求項９又は１０に記載のシェービング装置において、前記皮膚接触面は、前記各切断ユニットのためのソケットを持つ皮膚支持部材の表面であり、リング形素子が、前記各ソケット内に配置されると共に、対応する切断ユニットを囲み、シェービングエイド保持溝が、前記リング形素子と周りの前記皮膚支持部材との接合部に少なくとも部分的に設けられる、シェービング装置。
【請求項１２】
請求項１１に記載のシェービング装置において、切断ユニットを囲む各リング形素子の少なくとも上面は低摩擦の表面である、シェービング装置。
【請求項１３】
請求項２乃至１２の何れか１項に記載のシェービング装置のための回転型切断ユニットにおいて、当該切断ユニットは、外部環状切断部材と前記外部切断部材によって囲まれる皮膚接触面とを持ち、前記囲まれた皮膚接触面はシェービングエイド保持手段を備える、切断ユニット。
【請求項１４】
請求項１に記載のシェービング装置において、前記少なくとも１つの切断ユニットは、穿孔されたフォイルを外部切断部材として持つ振動型の細長い切断ユニットであり、シェービングエイド保持手段が、前記少なくとも１つの切断ユニットの側面のうちの少なくとも１つに沿って設けられる、シェービング装置。
【請求項１５】
請求項１４に記載のシェービング装置において、前記側面のうちの前記少なくとも１つは、少なくとも１つの切断ユニットの少なくとも１つの長い側面を有する、シェービング装置。
【請求項１６】
請求項１４に記載のシェービング装置において、前記各切断ユニットのための凹部を持ち、前記切断ユニットに沿って延在するフレーム部分を持つ、フレームが設けられ、前記フレーム部分は、シェービングエイド保持手段を備えた皮膚接触面を少なくとも部分的に形成する、シェービング装置。
【請求項１７】
請求項１４に記載のシェービング装置において、少なくとも２つの切断ユニットが設けられ、前記各切断ユニットは、２つの隣接した切断ユニット間の少なくとも１つの中間皮膚接触面上に少なくとも部分的に延在する穿孔されたフォイルを持ち、前記中間皮膚接触面は、シェービングエイド保持手段を備える、シェービング装置。
【請求項１８】
請求項１７に記載のシェービング装置において、２つの隣接した切断ユニットの前記フォイルは、これらフォイルの隣接した縁の間にストリップ形領域を形成する中間皮膚接触面上で延在し、シェービングエイド保持手段が、前記ストリップ形の領域に設けられる、シェービング装置。
【請求項１９】
請求項１４乃至１８の何れか１項に記載のシェービング装置において、前記シェービングエイド保持手段は、前記細長い切断ユニットに実質的に平行に延在する、或る数の隆線及び／又は溝、又は、ディンプルのパターンを有する、シェービング装置。
【請求項２０】
請求項１７又は１８に記載のシェービング装置の少なくとも１つの切断ユニットのためのフォイル形外部切断部材において、当該フォイルは、２つの切断部材部分間に少なくとも１つの中間皮膚接触面を持ち、前記中間表面は、シェービングエイド保持手段を備える、切断部材。
【請求項２１】
請求項１６に記載のシェービング装置のためのフレームにおいて、前記フレームは、少なくとも１つの細長い切断ユニットのための凹部を持ち、更に、前記少なくとも１つの切断ユニットに沿って延在するフレーム部分を持ち、前記フレーム部分は、シェービングエイド保持手段を備えた皮膚接触面を少なくとも部分的に形成する、フレーム。
【請求項２２】
前記シェービングエイド保持手段は、細長い隆線及び／又は溝、又はディンプルのパターンを有する、請求項１４乃至１９の何れか１項に記載のシェービング装置、請求項２０に記載のフォイル形切断部材、又は、請求項２１に記載のフレーム。
【発明の詳細な説明】
【技術分野】
【０００１】
本発明は、外部切断部材及びマッチする内部切断部材を有する少なくとも１つの切断ユニットと、皮膚接触面にシェービングエイドを供給するためのデバイスとを収容する当該皮膚接触面を持つシェービング装置に関する。
【背景技術】
【０００２】
このようなシェービング装置は、例えば国際公開公報第９８／０８６６０号から知られている。この既知のシェービング装置（又はシェーバ）は、皮膚接触面に設けられた３つの切断ユニット又はシェービングヘッドを有する。各シェービングヘッドは、ヘアトラップ開口を備えた環状領域と、動作中回転し、前記ヘアトラップ開口を通じて突出する毛を切断するための多くのナイフを持つ内部切断部材とを有する。使用の際の皮膚接触面は、シェービングの間、ユーザの皮膚に接触してこれを支持するので、皮膚支持面又は皮膚支持領域とも呼ばれる。皮膚接触面は、シェービングヘッドの環状領域を囲み、更に、（１つ又は複数の）シェービングヘッドの（１つ又は複数の）環状領域によって囲まれる（１つ又は複数の）領域を有する。
【０００３】
上記の種類のシェービング装置は、シェービングリキッド等のシェービングエイド又は添加物のためのホルダ及びシェービングの間に或る量の添加物を皮膚接触面に供給するための手段を典型的に有する。通常、ユーザが添加物によって与えられるすべり効果を得る又は増加させることを望むときにシェーバのユーザによって操作可能な押しボタンが設けられる。
【０００４】
既知のシェーバの問題は、皮膚接触面に供給されるシェービングエイドが、回転している（１つ又は複数の）内部切断部材によって生じる吸引力のため、（１つ又は複数の）シェービングヘッドに流れ込む傾向がある、ということである。
【０００５】
明らかな理由のため、シェービングエイドのためのホルダのサイズは、とても大きくなることはできない。従って、シェービングエイドホルダが満たされた瞬間と、該ホルダが再充填されなければならない瞬間との間の使用の適切な期間を得るために、又は、ホルダが取替え可能なカートリッジ（の一部）である場合には、このようなカートリッジの適切な使用期間を得るために、シェービングエイドが可能な限り効果的に用いられることが所望される。当然、このようなシェービングエイドの最適な有効利用は、シェーバの皮膚接触面に供給されるシェービングエイドが（１つ又は複数の）シェービングヘッドのヘアトラップ開口を通じて急速に排出される場合には、可能でない。更に、シェービングエイドがヘアトラップ開口を通じて皮膚接触面から引き離されるまでに短時間しかかからなければ、シェービングヘッドが乾燥し、デリケートな皮膚を持つユーザが皮膚を傷めるという一定の危険性が存在する。明らかに、これは望ましくない。
【発明の開示】
【発明が解決しようとする課題】
【０００６】
上記に鑑みて、本発明の目的は、シェービング装置の皮膚接触面に供給されるシェービングリキッド及び／又は他の添加物の改善された効果を提供するシェービング装置を提供することである。
【課題を解決するための手段】
【０００７】
このために、上述の種類のシェービング装置は、前記皮膚接触面の少なくとも一部に設けられたシェービングエイド保持手段により特徴付けられる。
【発明を実施するための最良の形態】
【０００８】
本発明は、ここで、図面を参照して例示によってより詳細に説明される。
【０００９】
図１は、本発明が適用されうる従来技術のシェービング装置を示し、図２は類似したシェービング装置を示す。
【００１０】
示された装置１０は、ハウジング１及びシェービングヘッドホルダ２を有し、該ホルダはハウジングから取り外されることができ及び／又はハウジングにヒンジ結合される。３つのシェービングヘッド又は切断ユニット３が、シェービングヘッドホルダに存在し、
前記各ヘッドは、ヘアトラップ開口５を備えた固定外部切断部材４と、該外部切断部材に対して回転駆動されることができるカッタ７を備えた内部切断部材６とを有する。オンオフスイッチ８も設けられる。
【００１１】
図２に示されるように、内部切断部材６は、適切な伝達手段１２、１３を通じてモータ１１によって駆動される。
【００１２】
シェービングヘッドホルダ２は、（１つ又は複数の）シェービングヘッド３を囲む第１の皮膚接触領域１５と、各シェービングヘッドの静止環状切断部材によって囲まれる第２の皮膚接触領域１６とを有する皮膚接触面９を持つ。
【００１３】
シェーバ１０は、シェービングエイドのためのホルダ４０を収容するための空間１７を有する。この例の空間１７は、更に、ホルダから、シェーバの皮膚接触面の又は該面の近くの出口孔１８にシェービングエイドをポンプするためのポンプ２０を収容する。スイッチ（この場合押しボタンスイッチ１９）が、ポンプ２０を操作するために設けられている。シェーバ１０（特にホルダ及びポンプ）の他の詳細は、国際公開公報第９８／０８６６０号に記載されている。
【００１４】
図３は、本発明によるシェーバのためのシェービングヘッドホルダ２の例の平面図である。シェービングヘッドホルダは、図１に示されるシェービングヘッドホルダに類似しており、３つの切断ユニット３を有する。図３において、他の図におけるものと同じ参照番号が、類似した部分について、用いられている。ホルダは、シェーバのハウジング上にシェービングヘッドホルダを取り付けるためのヒンジ素子４１を備えたハードシェル４０を持つ。シェービングヘッドホルダは、皮膚支持部材４２を収容し、該部材が、３つの切断ユニット３を収容する。皮膚支持部材は、互いに旋回線４３、４４、４５によって接続された３つの部分４２ａ、４２ｂ及び４２ｃを持ち、これは、互いに対する切断ユニットの旋回運動を許可する。これにより、シェービングヘッドは、ユーザの顔の局所的な形状に適応することができる。各部分４２ａ、４２ｂ、４２ｃは、シェービングヘッドを収容する眼窩のような一種のソケットを持つ。
【００１５】
図４は、本発明によるシェービングヘッド又は切断ユニット３の例の部分的に断面の概略図である。示されるシェービングヘッドは、従来技術のシェーバのシェービングヘッドにおおむね類似している。図４のシェービングヘッドの種々の部分は、類似した部分について他の図において用いられる参照番号に対応する参照番号を与えられている。
【００１６】
図４のシェービングヘッドは、従来技術シェーバのシェービングヘッドとは、環状切断部材４内の皮膚接触領域１６にシェービングエイド保持手段が設けられている点で異なる。この例でのシェービングエイド保持手段は、複数の同心の隆線３０、３１、３２を有する。この例では、同心の隆線は、環状切断部材４内のシェービングヘッドの平坦部分３４上に配置される輪郭付けされた（profiled）装飾キャップ３３の一部である。所望なら、上記部分３４自体が輪郭付けされた面を備えていてもよい。装飾キャップ３３は、図５において幾分大きい縮尺で断面が示される。
【００１７】
本実施例における輪郭付けされた装飾キャップは、おおむね半球形の形状を持ち、円形の同心の緩やかに傾斜した３つの隆線３０、３１、３２を持つ。装飾キャップ上に存在する、即ち装飾キャップとユーザの皮膚との間に存在する、あらゆるシェービングエイドは、或る程度は、隆線間の溝３４、３５、３６に保持され、ヘアトラップ開口５にまっすぐに流入することが防止される。実際は、溝３４、３５、３６は、シェービングエイドのための一時貯蔵領域として機能する。装飾キャップ上の或る量のシェービングエイドがヘアトラップ開口を通じて完全に流れ出すのにかかる平均時間は、従来技術の平坦なカバーの代わりに輪郭付けされた装飾キャップが用いられれば、著しく長くなる。
【００１８】
図４及び５に示されるシェービングエイド保持手段は、複数の円形同心の隆線を有しているが、添加物がヘアトラップ開口にまっすぐ妨げられずに流れることを防止するいかなる種類の輪郭が用いられてもよいことが理解される。例えば、星形、花形若しくはらせん形のパターンの隆線、若しくは、ゴルフボール上のディンプルのようなパターン、又は、類似した表面パターンが用いられてよい。更に、装飾キャップは、低い摩擦面を有してもよい。
【００１９】
シェービングエイドは、シェービング装置の動作中、（１つ又は複数の）シェービングヘッドを囲む皮膚支持部材４２上の皮膚接触領域１５にも存在する。このようなシェービングエイドも、ヘアトラップ開口に吸い込まれる。これが起こることを防止するために、シェービングエイド保持手段は、（１つ又は複数の）シェービングヘッド周辺に設けられてもよい。本発明の実施例によれば、少なくとも１つの溝が各環状切断部材を囲む。このような溝の例は、図４の４８に示される。このような溝は、シェーバの（１つ又は複数の）シェービングヘッドを囲む皮膚接触領域１５に存在するシェービングエイドが、シェービングヘッドにまっすぐに吸い込まれることを防止する。
【００２０】
環状切断部材を囲む皮膚接触面にシェービングエイド保持溝を設けるという考えの更なる実施例によれば、別個のリング形素子４６が、シェービングヘッドのための各ソケットの周りに設けられる。このようなリング形素子は、各環状切断部材の周りの皮膚支持部材に取り付けられ、シェービングエイドが皮膚接触領域１５からシェービングヘッドのヘアトラップ開口にまっすぐに流れることを防止する低い隆線を形成する。
【００２１】
このような環状素子４６は、適切な合成材料又は金属によって作られてもよい。リングは、皮膚支持部材の材料に（部分的に）埋め込まれてよい。シェービングの間、リングの上部は、皮膚支持部材領域の囲んでいる面よりも幾分高くてもよく、又は、シェービングヘッドホルダとリングとの接続面において小さい溝が形成されれば、リングの上部は、皮膚接触領域と実質的に面一であってよい。このような溝は、シェービングヘッドホルダ及び／又は又はリングの幾分低い肩から、又は、シェービングヘッドホルダと皮膚接触面の近くのリングとの互いに面する接続面の形状の差から得られる。
【００２２】
リング形素子及び各素子を囲む溝は、図３において、それぞれ４６ａ、４６ｂ、４６ｃ及び４８ａ、４８ｂ、４８ｃと示されている。
【００２３】
別個のリング形素子４６を備えたシェービングヘッドホルダの一部の例が、図６に図式的に示されている。図６は、一部が図３の線ＶＩ−ＶＩでとった断面である斜視図である。図６は、皮膚支持部材４２の部分の一部と、前記皮膚支持部材に取り付けられた別個の環状素子４６の対応する一部とを示す。このような添加物がシェービングヘッドのヘアトラップ開口にまっすぐに吸い込まれることを防止するために、溝４８が、環状素子４６と皮膚支持部材に存在するシェービングエイドを保持する皮膚支持部材４２との接合部に少なくとも部分的に沿って設けられる。リング形素子は、円形でもよいが、示される実施例においては、小さい三角部分がリング形素子の一部である。この三角部分は、３つの旋回線４３、４４、４５のＹ形の接合部の近くのシェービングヘッドホルダの中心に位置する。溝４８は、三角部分の外形に沿って延在するか若しくは環状切断素子の外形をたどることができ、又は、両方であってもよい。
【００２４】
好適には、リング形素子４６又は当該リング形素子の少なくとも上部は、低い摩擦面を有する。これは、例えば、シェービングの間の滑り性能を向上させるための高光沢研磨によって得られることができる。
【００２５】
当然、リング形素子中及び／又は周りに２つ又は更に多くの同心溝を設けることが可能である。
【００２６】
この説明において参照されるシェービングエイド添加物が、意図された目的に適している液体又はあらゆる他の種類の材料であってもよく、例えば、ゲル、泡、クリーム、水溶性の堅い材料等であってよいことを述べておく。
【００２７】
上記の説明では、本発明は、回転型の１つ又は複数の切断ユニットを持つシェーバを参照して説明された。しかし、本発明は、振動型の１つ又は複数の切断ユニットを持つシェーバ等の、他の種類の電気シェーバにもあてはまる。このような切断ユニットは、通常、使用中、穿孔されたフォイルの下で振動する平行なカッター素子の列を有する。このような振動するカッタの周辺の領域、そして、該当する場合、これらカッタの間の領域には、本発明によるシェービングエイド保持手段が設けられてよい。このようなシェーバの例は、国際公開公報第０２／０５１５９８号に開示され、図７に示される。図７は、ハウジング５１と、皮膚接触面５２と、シェービングフォイルの形の外側切断部材５５及び前記フォイルと協動する内側切断部材５６を持つ２つの切断ユニット５３とを持つ電気カミソリ５０を図式的に示す。皮膚接触面５２は、トンネル形のシェービングフォイル５３に沿った１つ又は複数の隆線及び／又は溝を備えてよい。このような隆線及び／又は溝は、環状切断部材を囲む皮膚支持部材について上記で開示された隆線及び／又は溝に類似してもよい。しかし、トンネル形シェービングフォイルの場合、隆線及び／又は溝は、単に（１つ又は複数の）フォイルの長い側面に沿って延在してもよい。当然、このような隆線及び／又は溝が（１つ又は複数の）トンネル形フォイルを囲むようにすることも可能である。更に、細長い隆線及び／又は溝の代わりに、適切なパターンのくぼみ（ゴルフボールパターン）等が用いられてもよい。
【００２８】
２つ以上の振動切断ユニットを有するシェーバについては、切断ユニットを、及び２つの隣接した切断ユニット間の中間領域５４の少なくとも一部を、カバーするフォイルを用いることが可能である。このようなフォイルは、図８に図式的に示されているように、スリット又はストリップ形の領域６１をこれら領域の隣接した端の間に残すことになる。少なくとも２つの隣接した内部切断部材及びこれら切断部材間の中間領域５４をカバーするための少なくとも２つの細長い切断部材部分にマッチするように適切な形状にされた単一のフォイルを用いることすら可能である。（１つ又は複数の）フォイルは、前記中間領域において穿孔されている必要はなく、シェービングエイド保持効果を持つ長手方向の隆線及び／又は溝、又はくぼみ等を備えていてよい。しかし、多くの場合フォイルはかなり脆いので、（１つ又は複数の）ストリップ形領域６１にシェービングエイド保持手段を設けることが可能であり、場合によっては、切断ユニットに隣接した（１つ又は複数の）平坦な領域の（１つ又は複数の）フォイル上のシェービングエイド保持手段と組み合わせて設けることが可能である。（１つ又は複数の）ストリップ形領域におけるこのようなシェービングエイド保持手段は、ストリップ形の素子上に設けられてもよく、これら素子は、取替え可能であってもなくてもよく、図８において６２で示されているように少なくとも（１つ又は複数の）ストリップ形領域をカバーする。
【００２９】
変形例として、フォイル５３の上の例えば図７に示されるように合成樹脂でできているフレーム５７を用いることが可能である。前記フレームは、各切断部材のための凹部５８を持ち、該凹部は、（１つ又は複数の）切断部材の周りにきつくフィットする形状を持つ。図７に示される例において、フレームが、２つの切断部材のために設計され、切断部材の外側端に沿って延在する２つの外側部分６０と、切断部材間に延在する１つの中央部分５９とを持つ。部分５９及び６０は、上記で開示されるようなシェービングエイド保持手段を持つ。別個の切断部材のそれぞれのために別個のフレームを用いることは、明らかに可能である。上記１つ又は複数のフレームは、低い摩擦面を有してもよい。
【図面の簡単な説明】
【００３０】
【図１】３つのシェービングヘッドを有する従来技術のシェービング装置の例を示す。
【図２】図１の装置に類似したシェービング装置を部分的に断面で図式的に示し、特に、皮膚接触面に添加物を供給するための手段を示す。
【図３】本発明のシェービング装置のためのシェービングヘッドホルダの例の概略平面図である。
【図４】本発明によるシェービング装置のシェービングヘッドの実施例を部分的に断面で図式的に示す。
【図５】図３の詳細を断面で図式的に示す。
【図６】本発明によるシェービングヘッドを囲む環状素子の図３の線ＶＩ−ＶＩでとった部分的に断面の概略の斜視図である。
【図７】本発明が実施されうる他の種類のシェービング装置を図式的に示す。
【図８】振動型のシェービング装置の実施例の詳細を図式的に示す。
【図１】
2006527052.tif 000003
【図２】
2006527052.tif 000004
【図３】
2006527052.tif 000005
【図４】
2006527052.tif 000006
【図５】
2006527052.tif 000007
【図６】
2006527052.tif 000008
【図７】
2006527052.tif 000009
【図８】
2006527052.tif 000010
【国際調査報告】
2006527052.tif 000011
2006527052.tif 000012